(57)【要約】【課題】投影装置の設置に合わせた撮影装置の設置を行って、簡単な調整で撮影範囲を正確に撮影することが可能なプレゼンテーション装置を提供すること。【解決手段】筆記可能なホワイトボードに、投影装置２で画像を投影してプレゼンテーションを行うプレゼンテーションシステムにおいて、プレゼンテーション装置１は、ホワイトボード２を撮影するための撮影部６と、投影装置２が載置され、当該投影装置２の位置調整を可能に構成した投影装置搭載部７と、を備えている。【選択図】      図２
2004198602.tif 000002
【特許請求の範囲】
【請求項１】
筆記可能な表示板に、投影装置で画像を投影してプレゼンテーションを行うプレゼンテーションシステムにおけるプレゼンテーション装置において、
前記表示板に投影するための画像を前記投影装置へ出力する出力部と、
前記表示板を撮影するための撮影部と、
前記投影装置が載置され、当該投影装置の位置調整を可能に構成した投影装置搭載部と、
を備えたことを特徴とするプレゼンテーション装置。
【請求項２】
前記投影装置搭載部の高さ位置を調整する高さ調整部材を備えたことを特徴とする請求項１に記載のプレゼンテーション装置。
【請求項３】
前記プレゼンテーション装置の本体には、前記投影装置搭載部を上昇方向に付勢する付勢部材が設けられていることを特徴とする請求項１に記載のプレゼンテーション装置。
【請求項４】
前記投影装置搭載部は、前記投影装置が載置される載置面が格子状のパターンで形成されていることを特徴とする請求項１に記載のプレゼンテーション装置。
【請求項５】
前記格子状のパターンは、摩擦係数の高い高分子材料で形成されていることを特徴とする請求項４に記載のプレゼンテーション装置。
【請求項６】
前記投影装置搭載部は、前記投影装置を固定するための投影装置固定部材を含むことを特徴とする請求項１に記載のプレゼンテーション装置。
【請求項７】
さらに、シート原稿の原稿画像を読み取るための画像読取部を備え、
前記出力部は、前記画像読取部で読み取った原稿画像を前記投影装置に出力することを特徴とする請求項１に記載のプレゼンテーション装置。
【請求項８】
ネットワークを介してデータ通信を行うためのネットワーク処理部を備え、
前記ネットワーク処理部は、前記撮像部で撮影した画像を前記ネットワークを介して配信することを特徴とする請求項１に記載のプレゼンテーション装置。
【発明の詳細な説明】
【０００１】
【発明の属する技術分野】
本発明は、プレゼンテーション装置に関し、詳細には、各種の会議や教育等に活用されるプレゼンテーションシステムのプレゼンテーション装置に関する。
【０００２】
【従来の技術】
従来、プレゼンテーションシステムでは、プレゼンテーション用のコンテンツ（説明内容）を示す像をスライド映写機でスクリーンに投影させていたが、最近では、上記コンテンツをパソコンに記憶させておき、このパソコンの画面を投影装置によりスクリーンに投影させる方法が多用されている。
【０００３】
ところで、このようなプレゼンテーションシステムを実際に運用する場合、プレゼンテーションの現場においては、発表者が質疑応答や捕捉説明などのために、文字や図などを書いて聞き手に示すごとがしばしば生じる。その場合、発表者は、近くに筆記可能な表示板、例えば、黒板やホワイトボードがあれば、これに上記文字などを書いて説明を行っている。
【０００４】
また、パソコンを導入したプレゼンテーションシステムでは、パソコンの画面をスクリーンに投影して、発表者がパソコンを操作してプレゼンテーションを行っている。
【０００５】
さらに、ホワイトボードなどの表示板に投影や筆記した画像を撮影するプレゼンテーションシステムが知られている（例えば、特許文献１参照）。同プレゼンテーションシステムは、マルチメディアプロジェクタを使用してホワイトボードに原稿を投影し、投影された原稿に合わせてボード用マーカーペンでホワイトボードに記入する構成において、投影された原稿とマーカーペンで記入された文字数値との合成像を撮影する外部カメラと、該撮影像を前記マルチメディアプロジェクタ内に記録し必要なときに該記録像を再生する画像メモリと、該記録印刷可能な外部接続プリンタとを備えたものである。
【０００６】
ところで、ホワイトボードの投影画像に対して筆記・消去可能なマーカーなどにより修正や追記された情報を撮影する場合、ホワイトボードの筆記可能範囲全体を撮影する必要がある。
【０００７】
しかしながら、上記従来のプレゼンテーションシステムでは、外部カメラ（撮影装置）を任意の位置に設定すると、斜め撮影の度合いが不安定であり、被写体が撮影範囲からはずれてしまうという問題がある。また、これらを回避するために、使用者が撮影装置のモニターを見ながら被写体が撮影可能範囲に入るように撮影装置の位置を調整すれば良いが、この調整が面倒であるという問題がある。
【０００８】
【特許文献１】
特開２００１−３１２００１号公報
【０００９】
【発明が解決しようとする課題】
本発明は、上記に鑑みてなされたものであり、投影装置の設置に合わせた撮影装置の設置を行って、簡単な調整で撮影範囲を正確に撮影することが可能なプレゼンテーション装置を提供することを目的とする。
【００１０】
【課題を解決するための手段】
上記課題を解決するために、請求項１にかかる発明は、筆記可能な表示板に、投影装置で画像を投影してプレゼンテーションを行うプレゼンテーションシステムにおけるプレゼンテーション装置において、前記表示板に投影するための画像を前記投影装置へ出力する出力部と、前記表示板を撮影するための撮影部と、前記投影装置が載置され、当該投影装置の位置調整を可能に構成した投影装置搭載部と、を備えたことを特徴とする。
【００１１】
上記発明によれば、投影装置が載置され、当該投影装置の位置調整を可能に構成した投影装置搭載部を設け、投影装置の設置に合わせた撮影装置の設置を行なう。付言すると、撮影部が撮影する範囲は、表示板の筆記可能範囲全体であり、投影装置の投影画像は表示板の筆記可能範囲内である。従って、投影装置搭載部で、投影装置の設置に合わせた撮像装置の設置を行なることにより、撮影範囲を正確を撮影することが可能となる。
【００１２】
また、請求項２にかかる発明は、請求項１にかかる発明において、前記投影装置搭載部の高さ位置を調整する高さ調整部材を備えたことを特徴とする。上記発明によれば、高さ調整部材で投影装置搭載部の高さ位置を調整する。
【００１３】
また、請求項３にかかる発明は、請求項１にかかる発明において、前記プレゼンテーション装置の本体には、前記投影装置搭載部を上方向に付勢する付勢部材が設けられていることを特徴とする。上記発明によれば、付勢部材で投影装置搭載部を本体に対して上方向に付勢する。
【００１４】
また、請求項４にかかる発明は、請求項１にかかる発明において、前記投影装置搭載部は、前記投影装置が載置される載置面が格子状のパターンで形成されていることを特徴とする。上記発明によれば、投影装置が載置される載置面を格子状のパターンで形成する。
【００１５】
また、請求項５にかかる発明は、請求項４にかかる発明において、前記格子状のパターンは、摩擦係数の高い高分子材料で形成されていることを特徴とする。格子状のパターンを摩擦係数の高い高分子材料で形成する。
【００１６】
また、請求項６にかかる発明は、請求項１にかかる発明において、前記投影装置搭載部は、前記投影装置を固定するための投影装置固定部材を含むことを特徴とする。投影装置固定部材で、投影装置を固定する。
【００１７】
また、請求項７にかかる発明は、請求項１にかかる発明において、さらに、シート原稿の原稿画像を読み取るための画像読取部を備え、前記出力部は、前記画像読取部で読み取った原稿画像を前記投影装置に出力することを特徴とする。画像読取部で読み取ったシート原稿の原稿画像を投影装置に出力して表示板に投影させる。
【００１８】
また、請求項８にかかる発明は、請求項１にかかる発明において、ネットワークを介してデータ通信を行うためのネットワーク処理部を備え、前記ネットワーク処理部は、前記撮像部で撮影した前記表示板の画像を前記ネットワークを介して配信することを特徴とする。上記発明によれば、撮像部で撮影した画像をネットワークを介して配信する。
【００１９】
【発明の実施の形態】
以下、図面を参照して、本発明にかかるプレゼンテーション装置の好適な実施の形態を詳細に説明する。
【００２０】
図１は、本発明にかかるプレゼンテーションシステムの外観構成を示す図である。プレゼンテーションシステムは、図１に示す如く、机２００の上に載置されているプレゼンテーション装置１、プレゼンテーション装置１上に載置されている投影装置２と、ホワイトボード１００とで構成されている。
【００２１】
プレゼンテーション装置１は、ホワイトボード１００に投影するためのプレゼンテーション用の画像を投影装置２に転送して、ホワイトボード１００に投影表示させる。投影装置２は、プレゼンテーション装置１から転送されるプレゼンテーション用の画像をホワイトボード１００の筆記可能範囲１０１に投影画像１０２として投影する。ホワイトボード１００は、その筆記可能範囲１０１に投影装置２により投影される投影画像１０２が表示可能で、かつ、マーカーペン１１０により筆記情報１０３を筆記可能となっている。なお、ホワイトボードに限らず、投影装置２により投影される投影画像が表示可能で、かつ、マーカーペン１１０により筆記情報を筆記可能な表示板であれば良く、例えば、ホワイトボード１００の替わりに電子黒板を使用することにしても良い。
【００２２】
図２は、図１のプレゼンテーション装置１および投影装置２の斜視図、図３は、図１のプレゼンテーション装置１および投影装置２の側面図を示している。図２および図３において、プレゼンテーション装置１は、本体３と、シート原稿を読み取る原稿読取部４と、ホワイトボード１００の筆記可能範囲１０１を撮影するための撮影部６と、撮影部６の両側に設けられ、投影装置搭載部７の高さ調整を行う高さ調整部材１５と、本体３に対して回動可能に設けられた投影装置搭載部７とを備えている。
【００２３】
投影装置２は、プレゼンテーション装置１の投影装置搭載部７に位置調整可能に載置されており、使用者が投影装置２の操作指示を行う投影装置操作部２５と、内部光学系の冷却のための排気口２６を備えている。プレゼンテーション装置１と投影装置２とはＲＧＢケーブル１８で接続されている。なお、投影装置２は、本実施の形態の構成に限定されるものではなく、会議用や教育用等に広く普及している不特定の一般的な投影装置に適用可能である。本発明のプレゼンテーション装置１は、他の一般的な投影装置に適用可能である。
【００２４】
上記構成のプレゼンテーションシステムの動作を説明する。プレゼンテーション装置１は、シート原稿の画像データを原稿読取部４で読取り、読取ったシート原稿の画像データをメモリ（図２０のＲＡＭ５３）に格納する。プレゼンテーション装置１は、メモリに格納した画像データをＲＧＢケーブル１８を介して投影装置２に転送する。投影装置２は、プレゼンテーション装置１から転送されるシート原稿の画像データをホワイトボード１００の筆記可能範囲１０１に投影画像１０２として投影する。使用者または出席者は、ホワイトボード１００に投影された投影画像１０２に対して、筆記・消去可能なマーカーペン１１０で修正・追記を行う。そして、プレゼンテーション装置１の撮影部６は、ホワイトボード１００の筆記可能範囲１０１に筆記された筆記情報１０３のみを撮影し、撮影した画像データをメモリに格納する。そして、プレゼンテーション装置１は、メモリに格納しているシート原稿の画像データと撮影した画像データ（筆記情報）を合成して合成画像データを生成してメモリに格納する。プレゼンテーション装置１は、このメモリに格納された合成画像データをＲＧＢケーブル１８を介して投影装置２に転送し、投影装置２でホワイトボード１００の筆記可能範囲１０１に投影画像として投影される。また、プレゼンテーション装置１は、パソコンが接続可能となっており、パソコンから入力される画像データを投影装置２で投影させることができる。
【００２５】
図４は、プレゼンテーション装置１と投影装置搭載部４の取付構造を説明するための分解斜視図を示している。図４を参照して、プレゼンテーション装置１と投影装置搭載部４の取付構造を説明する。
【００２６】
プレゼンテーション装置１の本体３の内部には、図示省略の、電源、メイン制御ボード（図２０参照）、シート原稿を原稿読取部４まで搬送する搬送ローラと、シート原稿の読取後に排紙する排紙ローラと、シート原稿の読取時に読取ラインセンサに密着させるためのプラテンローラと、各ローラを駆動する駆動部と、各構成部品を取り付けるベース部材とが設けられている。
【００２７】
原稿読取部４は、内部に、図示省略の、上記搬送ローラと対向密着している搬送補助ローラと、上記排紙ローラと対向密着している排紙補助ローラと、読取ラインセンサ（例えば密着型イメージセンサ）と、読取ラインセンサを上記プラテンローラに密着させるための圧を加える圧縮コイルバネとが設けられている。
【００２８】
原稿読取部４は、本体３に対して原稿読取部回動部５により回動自在に取り付けられる。原稿読取部４は、通常、図示せぬロック機構により前述の密着型イメージセンサと前述のプラテンローラが密着するように固定されている。原稿読取部４は、シート原稿の搬送ミス（一般的にはジャムという）を起こした場合には、図示せぬロック機構を解除して、原稿読取部回動部５を支点に矢印Ａ方向に持ち上げると、各ローラの密着が解除され、シート原稿を取り出すことができる。
【００２９】
また、本体３の後部には、キャップ８で投影装置搭載部７を回動可能に固定するためのキャップ穴が形成された一対の切り欠き部が形成されている。
【００３０】
本体３の上方には、一対のバネ１３を取り受けるためのバネ取付部が設けられており、このバネ１３は、バネ取付部に挿入され、図示せぬネジ等で固定される。バネ１３は、本体３と投影装置搭載部７の間で、投影装置搭載部７を持ち上げる方向に付勢する。
【００３１】
撮影部６は、デジタルカメラを備えており、ホワイトボード１００の筆記可能範囲に投影された投影画像の情報に対して筆記・消去可能なマーカーペン１１０などにより修正や追記された情報を撮影する。また、撮影部６の両端には、高さ調整部材１５を高さ調整可能に支持するための一対のガイド溝１４が設けられている。
【００３２】
投影装置搭載部７の両側には、一対のスライド溝１０が設けられており、この一対のスライド溝１０には、一対のスライド部材１１がスライド可能に取り付けられている。この一対のスライド部材１１には、一対の投影装置固定部材１２の一端が固定されている。
【００３３】
また、投影装置搭載部７の後部には、投影装置搭載部７をプレゼンテーション装置１の本体３に対して回動可能に取り付けるためのキャップ８用のキャップ穴を有する一対の凸部が形成されている。本体３に形成された上述の切り欠き部と、投影装置搭載部７の凸部と、キャップ８とで投影装置搭載部回動部９が構成される。
【００３４】
投影装置搭載部７の凸部を、本体３の切り欠き部に配して、キャップ８を凸部のキャップ穴と本体３のキャップ穴に挿通して、投影装置搭載部７を本体３に対して回動可能に取り付ける。
【００３５】
図５〜図９を参照して、高さ調整部材１５の取り付け構造を詳細に説明する。図５は、高さ調整部材１５の斜視図、図６は、高さ調整部材１５の内部構成を示す図、図７は、ガイド溝１４の断面図、図８は、高さ調整部材１５のガイド溝１４への取り付けを説明するための図（高さ調整部材１５とガイド溝１４の正面図）、図９は、投影装置搭載部７を裏面からみた斜視図を示している。
【００３６】
高さ調整部材１５には、図５および図８に示すように、その先端に突起部１６が、その後端に一対のストッパ２８が設けられており、さらに、つまみ窓２７が設けられている。また、高さ調整部材１５の内部には、図７に示すように、つまみ部３４とロック爪３１が一体的に設けられており、回転中心３２で回動するように固定されている。このロック爪３１は、スプリング３０により外部に押し出される方向に付勢されている。つまみ窓２７から指を入れて、つまみ部３４を指でつまみながら持ち上げると、回転中心３２で回動し、ロック爪３１が高さ調整部材１５の内部に納まるように回動する。
【００３７】
ガイド溝１４には、図７および図８に示すように、高さ調整部材１５のロック爪３１を引っ掛けるための複数のロック溝２９が設けられており、また、上部には、高さ調整部材１５がガイド溝１４の上方から抜けないようにするためのストッパ３３が設けられている。
【００３８】
図９に示すように、投影装置搭載部７の裏側のリブには、高さ調整部材１５の突起部１６（図６参照）を摺動可能に取り付けるための摺動溝１７が設けられている。
【００３９】
上記のように構成された高さ調整部材１５のガイド溝１４および投影装置搭載部７への取り付けを説明する。図９に示すように、高さ調整部材１５を撮影部６の両側に設けられたガイド溝１４に下部から挿入する。高さ調整部材１５のストッパ２８は、ガイド溝１４の上部に設けられたストッパ３３で止まるように構成されている。
【００４０】
また、高さ調整部材１５の上端に設けられた突起部１６を、投影装置搭載部７の裏側リブに設けられた摺動溝１７（図９参照）に嵌め込む。高さ調整部材１５の上下動に伴い、突起部１６は摺動溝１７を摺動し、投影装置搭載部７を支持する。突起部１６と摺動溝１７、ロック爪３１とロック溝２９が、それぞれ投影装置搭載部７の上下方向を固定する。
【００４１】
図１０を参照して、バネ１３の取り付け構造を説明する。図１０は、プレゼンテーション装置１と投影装置搭載部７の側面図である。
【００４２】
プレゼンテーション装置１の本体３の後部に取り付けられたバネ１３は、投影装置搭載部７を持ち上げる方向（上昇方向）に付勢する。ここで、高さ調整部材１５のつまみ部３４を持ちながら、投影装置２を搭載固定した投影装置搭載部７を上下させる必要があるが、投影装置２は略２ｋｇ〜３ｋｇの重量があるため、投影装置搭載部７を上昇させるにはある程度の力が必要であり、また、下降させるには勢いよく落ちないように力が必要である。
【００４３】
バネ１３は、上述したように、投影装置搭載部７を持ち上げる方向に作用するため、上昇させるときは軽い力で良く、また、下降させるときでも勢いよく落ちることはないため、投影装置２の重量を利用した軽い力で良いことになる。
【００４４】
図１１〜図１５を参照して、投影装置搭載部７の構造を詳細に説明する。図１１は、投影装置搭載部７に投影装置２を搭載する状態を説明するための図、図１２は、投影装置搭載部７を説明するための図、図１３は、投影装置搭載部７に投影装置２を搭載した状態を示す図、図１４および図１５は、投影装置光軸と投影装置搭載部の位置関係を説明するための図である。
【００４５】
図１１に示すように、プレゼンテーション装置１の投影装置搭載部７に、投影装置２を載置する。また、図１２に示すように、投影装置搭載部７の投影装置２の載置面には、高摩擦係数からなる高分子材料の格子パターン１９が形成されている。格子パターン１９は、一体的に構成してもよく、また、シート状部材を貼り付けて構成しても良い。格子パターン１９を一体的に構成する場合は、例えば、高摩擦係数のゴムで構成された透明なゴムシートで構成することができ、この透明なゴムシートに格子パターン１９を印刷する。そして、この透明なゴムシートを、投影装置搭載部７の載置面に貼り付ける。なお、高摩擦係数のゴムとしては、例えば、シリコンゴムを使用することができる。
【００４６】
この格子パターン１９は、図１３に示すように、撮影装置光軸ＬＡ１に対して、その縦格子線２１が平行に、その横格子線２２が垂直になるように形成されている。また、投影装置２を投影装置搭載部７に載置する場合には、投影装置２や投影レンズ２０の外形線と、任意の位置の格子パターン１９が略平行または略垂直になるように載置する。
【００４７】
投影装置２は、不特定の一般的な投影装置が選択させるため、投影装置の外形線が曲率を有する場合は、その外形線を格子パターン１９に略平行・略垂直に合わせることが困難な場合がある。かかる場合においては、投影レンズ２０の鏡胴の外形線を格子パターン１９に略平行または略垂直になるように載置することにすれば良い。このように投影装置２を載置することにより、投影装置２の投影装置光軸ＬＡ２と、撮影部６の撮影装置光軸ＬＡ１とを略平行にすることが可能となる。
【００４８】
図１４および図１５を参照して、投影装置のレンズ位置が異なる場合を説明する。図１４と図１５の投影装置２ではそのレンズ位置が異なっており、図１４は、投影装置２の投影レンズ２０が、投影装置２の中心に位置している場合、図１５は、投影レンズ２０が投影装置２の中心に対して左右にずれて位置する場合を示している。
【００４９】
図１４および図１５に示すように、投影装置を投影装置搭載部７に載置する場合、プレゼンテーション装置１の撮影部３内の撮影装置の撮影装置光軸ＬＡ１を含む垂直平面３５が、投影装置光軸ＬＡ２を含む垂直平面３５に略平行で近傍になるように設置する。
【００５０】
図１４は、投影装置光軸ＬＡ２と撮影装置光軸ＬＡ１が重なり合い、同一の垂直平面３５上にある場合を示しているが、図１５に示すように、投影装置光軸ＬＡ２を含む垂直平面３５と、撮影装置光軸ＬＡ１を含む垂直平面３５が、左右に平行にズレていても良い。すなわち、投影装置２の投影レンズ２０は、投影装置２の中心に位置しておらず、投影レンズ２０が投影装置２の中心に対して左右にずれて位置する場合でも、投影装置２を投影装置搭載部７に載置する場合に、投影装置２や投影レンズ２０の外形線と、任意の位置の格子パターン１９が略平行または略垂直になるように載置することにより、両光軸ＬＡ１、ＬＡ２を合わせることができる。
【００５１】
図１６〜図１９を参照して、投影装置搭載部７のスライド部材１１と投影装置固定部材１２を詳細に説明する。図１６は、撮影装置搭載部７の構成を示す斜視図、図１７は、図１６のＡ−Ａ断面において、スライド部材１１と投影装置固定部材１２を取り付ける前の状態を示す図、図１８は、図１６のＡ−Ａ断面において、スライド部材の取付を説明するための図、図１９は、投影装置２を投影装置搭載部７の投影装置固定部材１２で固定した状態を示す図である。
【００５２】
図１６に示すように、投影装置搭載部２０の両側には、スライド溝１０が設けられている。また、スライド溝１０に取り付けられたスライド部材１１には、投影装置固定部材１２が接着剤またはネジなどの固定手段で固定されている。例えば、スライド部材１１は、高分子材料で構成し、投影装置固定部材１２は、マジックテープ（Ｒ）（ファスナー）で構成することができる。
【００５３】
スライド部材１１は、図１８に示すように、爪状の突起がテーパー状に形成されており、スライド部材１１を投影装置搭載部７の横からスライド溝１０に押し込むことにより、スライド部材１１は開きながらスライド溝１０に挟まり、スライド部材１１の爪状の突起とスライド溝１０が噛み合うように固定される。
【００５４】
投影装置２を投影装置搭載部７に載置した後、図１９に示すように、衝撃に対して投影装置２がズレないようにするために、投影装置２を投影装置固定部材１２で締め付けるように固定する。この場合、投影装置２の投影装置操作部２５、排気口２６、図示せぬ各種配線接続部を避けるようにスライド部材１１をスライドさせて投影装置２を固定する。
【００５５】
図２０は、図１のプレゼンテーション装置１のハードウエア構成を示す図である。プレゼンテーション装置１は、原稿読取部４と、オートフォーカス機能、ＡＥ機能、ＡＷＢ機能、ズーム機能、およびストロボ機能等を有する撮影部６と、、メイン制御ボード５０とから構成されている。
【００５６】
メイン制御ボード５０は、リモコン６１から入力される操作信号に従って、プレゼンテーション装置１の全体の制御を行う全体制御部５１と、ＬＡＮ（ネットワーク）を介してのデータ通信を制御するＬＡＮ  Ｃｏｎｔｒｏｌｌｅｒ（ネットワーク処理部）５２と、画像データ等を格納するための不揮発性のＲＡＭ５３と、画像の合成等の各種画像処理を行う画像処理部５４と、全体制御部５１からの入力とアナログＲＧＢ入力部５８からの入力とを切り替えてアナログＲＧＢ出力部５７に出力するアナログスイッチ５５と、アナログＲＧＢ入力部５８から入力されるアナログの画像データをデジタルの画像データに変換するＡ／Ｄ変換器５６と、投影装置２に出力ＲＧＢケーブルを介して画像データ（アナログのＲＧＢ信号）を出力するためのアナログＲＧＢ出力部５７と、パソコン３００から入力ＲＧＢケーブル（図４で不図示、図２参照）を介して入力される画像データ（アナログのＲＧＢ信号）を入力するためのアナログＲＧＢ入力部５８と、ＬＡＮとのインターフェースであるＬＡＮ  Ｉ／Ｆ５９と、リモコン６１からの操作信号を受信するリモコン信号受信部６０とを備えている。ＬＡＮとしては、例えば、Ｅｔｈｅｒｎｅｔ（Ｒ）を使用することができる。
【００５７】
図２０において、原稿読取部４と、撮影部６と、メイン制御ボード５０と、ＬＡＮ  Ｃｏｎｔｒｏｌｌｅｒ（ネットワーク処理部）５２と、ＲＡＭ５３と、画像処理部５４と、Ａ／Ｄ変換器５６とは互いにバスを介して接続されている。
【００５８】
プレゼンテーション装置１では、シート原稿の画像データを原稿読取部４で読取り、読取ったシート原稿の画像データをＲＡＭ５３に格納する。全体制御部５１は、ＲＡＭ５３に格納したシート原稿の画像データをアナログスイッチ５５、アナログＲＧＢ出力部５７、およびＲＧＢケーブル１８（図２参照）を介して投影装置２に転送する。投影装置２は、上記図１に示すように、プレゼンテーション装置１から転送されるシート画像データをホワイトボード１００の筆記可能範囲１０１に投影画像１０２として投影する。使用者または出席者は、ホワイトボード１００に投影された投影画像１０２に対して、筆記・消去可能なマーカーペン１１０で修正・追記を行う。
【００５９】
そして、マーカーペン１１０で修正・追記が加えられたホワイトボード１１０の筆記可能範囲１０１の画像を記録（撮影）する場合には、全体制御部５１は、投影装置２に転送して投影している投影画像１０２の替わりに、全黒画像を投影装置２に転送して投影させる。この後、全体制御部５１は、撮影部６に撮影指示を送出し、これに応じて、撮影部６では、ホワイトボード１００の筆記可能範囲１０１の筆記情報１０３の撮影を行い、撮影した筆記情報１０３をＲＡＭ５３に格納する。
【００６０】
画像処理部５４は、ＲＡＭ５３に格納した筆記情報の画像と、全黒画像が表示される前にホワイトボード１００に表示されていたＲＡＭ５３に保存されているシート原稿の画像データ（投影画像１０２に対応する）とを合成して合成画像データを生成してＲＡＭ５３に保存する。
【００６１】
このように、ホワイトボード１００の撮影時に全黒画像を投影して撮影することとしたので、撮影部６では、ホワイトボード１００に筆記された筆記情報１０３のみを撮影することができ、投影部分と非投影部分の明るさムラを排除することができる。
【００６２】
このＲＡＭ５３に格納した合成画像データは、投影装置２に転送してホワイトボード１００の筆記可能範囲１０１に投影画像として投影することが可能となっている。
【００６３】
また、ＲＡＭ５３に格納している画像データ（合成画像データを含む）は、ＬＡＮ  Ｃｏｎｔｒｏｌｌｅｒ（ネットワーク処理部）５２により、ネットワークを介して会議参加者等の端末に配信することができる。これにより、ホワイトボード１００に投影された投影画像に対して、マーカーペン１１０で加筆／修正が加えられた画像を会議議事録等として会議参加者に配信することができる。
【００６４】
以上説明したように、本実施の形態のプレゼンテーション装置によれば、プレゼンテーション装置１に、投影装置２を搭載し、その位置調整が可能な投影装置搭載部７を設けることしたので、投影装置の投影位置の調整をプレゼンテーション装置１で行うことができ、両者の位置関係が安定した設置が可能となる。また、投影装置の設置に合わせた撮影装置の設置が可能となり、撮影範囲を正確に撮影することが可能となる。付言すると、本実施の形態のプレゼンテーション装置１によれば、投影装置の形態等によらず、どのタイプの投影装置を使用した場合でも、投影装置の設置に合わせた撮影装置の設置が可能となり、簡単な設置（調整）で撮影範囲を正確に撮影することが可能となる。
【００６５】
また、高さ調整部材１５で投影装置搭載部７の高さ位置を調整可能に構成したので、投影装置２の投影高さの調整を行うことができ、投影装置２の投影位置において、高さ方向・左右方向の複合的な調整をプレゼンテーション装置１のみで行うことが可能となる。
【００６６】
また、投影装置搭載部１５を上昇方向に付勢するバネ１３（付勢部材）を設けているので、投影装置２が載置された投影装置搭載部１５の上下方向の調整を軽い力で行うことが可能となり、複合的な調整を簡易に行うことが可能となる。
【００６７】
また、投影装置搭載部７に格子状のパターン１９を設けているので、投影装置光軸ＬＡ１と、撮影装置光軸ＬＡ２を略平行になるように設置でき、また、撮影部６の撮影範囲はホワイトボードの筆記可能範囲内であり、投影装置の投影範囲も電子黒板やホワイトボードの筆記可能範囲内である。投影装置光軸と、撮影装置光軸が略平行にかつ近傍した位置の設置をすることによって、投影装置の設置に合わせた撮影装置の設置が可能となり、撮影範囲を正確に撮影することが可能となる。
【００６８】
また、格子状のパターン１９は、摩擦係数の高い高分子材料で構成することとしたので、投影装置２を格子パターンの基準に合わせて設置した後、衝撃が加わっても、その高摩擦係数により投影装置２がずれずに再度基準に合わせる必要がなくなる。
【００６９】
また、投影装置搭載部７に、投影装置２を固定するための投影装置固定部材１２を設けたので、投影装置を基準に合わせて設置した後、衝撃が加わっても投影装置がずれず、再度基準に合わせる必要がなくなる。また、投影装置２とプレゼンテーション装置１をセットした状態で次回の使用に備えたいが、簡単にズレることがないため、使用する都度、設定のやり直しが必要なくなる。
【００７０】
なお、本発明は、上記した実施の形態に限定されるものではなく、発明の要旨を変更しない範囲で適宜変形可能である。
【００７１】
【発明の効果】
以上説明したように、請求項１にかかるプレゼンテーション装置によれば、筆記可能な表示板に、投影装置で画像を投影してプレゼンテーションを行うプレゼンテーションシステムにおけるプレゼンテーション装置において、前記表示板に投影するための画像を前記投影装置へ出力する出力部と、前記表示板を撮影するための撮影部と、前記投影装置が載置され、当該投影装置の位置調整を可能に構成した投影装置搭載部と、を備えたこととしたので、投影装置の設置に合わせた撮影装置の設置を行って、簡単な調整で撮影範囲を正確に撮影することが可能なプレゼンテーション装置を提供することが可能となるという効果を奏する。
【００７２】
また、請求項２にかかるプレゼンテーション装置によれば、請求項１にかかる発明において、前記投影装置搭載部の高さ位置を調整する高さ調整部材を備えたこととしたので、高さ方向・左右方向の複合的な調整をプレゼンテーション装置のみで行うことが可能となる。
【００７３】
また、請求項３にかかるプレゼンテーション装置によれば、請求項１にかかる発明において、前記プレゼンテーション装置の本体には、前記投影装置搭載部を上方向に付勢する付勢部材が設けられていることとしたので、投影装置が載置された投影装置搭載部の上下方向の調整を軽い力で行うことが可能となり、複合的な調整を簡易に行うことが可能となる。
【００７４】
また、請求項４にかかるプレゼンテーション装置によれば、請求項１にかかる発明において、前記投影装置搭載部は、前記投影装置が載置される載置面が格子状のパターンで形成されていることとしたので、投影装置光軸と撮影装置光軸とが略平行になるように簡単に設置することが可能となる。
【００７５】
また、請求項５にかかるプレゼンテーション装置によれば、請求項４にかかる発明において、前記格子状のパターンは、摩擦係数の高い高分子材料で形成されていることとしたので、投影装置を格子パターンに合わせて設置した後、衝撃による投影装置のズレを防止でき、再度、位置合わせを行う手間を省くことが可能となる。
【００７６】
また、請求項６にかかるプレゼンテーション装置によれば、請求項１にかかる発明において、前記投影装置搭載部は、前記投影装置を固定するための投影装置固定部材を含むこととしたので、投影装置を基準に合わせて設置した後、衝撃による投影装置のズレを防止でき、再度、位置合わせを行う手間を省くことが可能となる。
【００７７】
また、請求項７にかかるプレゼンテーション装置によれば、請求項１にかかる発明において、さらに、シート原稿の原稿画像を読み取るための画像読取部を備え、前記出力部は、前記画像読取部で読み取った原稿画像を前記投影装置に出力することとしたので、シート原稿を投影装置で投影することが可能となる。
【００７８】
また、請求項８にかかるプレゼンテーション装置によれば、請求項１にかかる発明において、ネットワークを介してデータ通信を行うためのネットワーク処理部を備え、前記ネットワーク処理部は、前記撮像部で撮影した画像を前記ネットワークを介して配信することとしたので、撮影した画像を例えば会議の議事録として会議参加者等の端末に配信することが可能となる。
【図面の簡単な説明】
【図１】本発明のプレゼンテーションシステムの外観構成を示す斜視図である。
【図２】図１のプレゼンテーション装置および投影装置の斜視図である。
【図３】図１のプレゼンテーション装置および投影装置の側面図である。
【図４】プレゼンテーション装置と投影装置搭載部の取付構造を説明するための分解斜視図である。
【図５】高さ調整部材の斜視図である。
【図６】高さ調整部材の内部構成を示す図である。
【図７】ガイド溝の断面図である。
【図８】高さ調整部材のガイド溝への取り付けを説明するための図（高さ調整部材とガイド溝の正面図）である。
【図９】投影装置搭載部を裏面からみた斜視図である。
【図１０】プレゼンテーション装置と投影装置搭載部の側面図である。
【図１１】投影装置搭載部に投影装置を搭載する状態を説明するための図である。
【図１２】投影装置搭載部を説明するための図である。
【図１３】投影装置搭載部に投影装置を搭載した状態を示す図である。
【図１４】投影装置光軸と投影装置搭載部の位置関係を説明するための図である。
【図１５】投影装置光軸と投影装置搭載部の位置関係を説明するための図である。
【図１６】撮影装置搭載部の構成を示す斜視図である。
【図１７】図１６のＡ−Ａ断面において、スライド部材と投影装置固定部材を取り付ける前の状態を示す図である。
【図１８】図１６のＡ−Ａ断面において、スライド部材の取付を説明するための図である。
【図１９】投影装置を投影装置搭載部の投影装置固定部材で固定した状態を示す図である。
【図２０】図１のプレゼンテーション装置１のハードウエア構成を示す図である。
【符号の説明】
１  プレゼンテーション装置
２  投影装置
３  本体
４  原稿読取部
５  原稿読取部回動部
６  撮影部
７  投影装置搭載部
８  キャップ
９  投影装置搭載部回動部
１０  フライド溝
１１  スライド部材
１２  撮影装置固定部材
１３  バネ
１４  ガイド溝
１５  高さ調整部材
１６  突起部
１７  摺動溝
１８  ＲＧＢケーブル
１９  格子パターン
２０  投影レンズ
２１  縦格子線
２２  横格子線
２３  撮影装置光軸
２４  載置面
２５  投影装置操作部
２６  排気口
２７  投影装置光軸
２８  ストッパ
２９  ロック溝
３０  スプリング
３１  ロック爪
３２  回動中心
３３  ストッパ
３４  つまみ部
３５  垂直平面
１００  ホワイトボード
１０１  筆記可能範囲
１０２  投影画像
１０３  筆記情報
１１０  マーカーペン
２００  机
【図１】
2004198602.tif 000003
【図２】
2004198602.tif 000004
【図３】
2004198602.tif 000005
【図４】
2004198602.tif 000006
【図５】
2004198602.tif 000007
【図６】
2004198602.tif 000008
【図７】
2004198602.tif 000009
【図８】
2004198602.tif 000010
【図９】
2004198602.tif 000011
【図１０】
2004198602.tif 000012
【図１１】
2004198602.tif 000013
【図１２】
2004198602.tif 000014
【図１３】
2004198602.tif 000015
【図１４】
2004198602.tif 000016
【図１５】
2004198602.tif 000017
【図１６】
2004198602.tif 000018
【図１７】
2004198602.tif 000019
【図１８】
2004198602.tif 000020
【図１９】
2004198602.tif 000021
【図２０】
2004198602.tif 000022